(57)【特許請求の範囲】
【請求項１】
送信ダイバーシチ信号を送信する方法であって、該方法は、
第１のタイプのデジタル信号を変調し符号化するステップであって、該第１のタイプのデジタル信号は第１の通信信号送信標準に準拠している、ステップ、
第２のタイプのデジタル信号を変調し符号化するステップであって、該第２のタイプのデジタル信号は第２の通信信号送信標準に準拠している、ステップ、
前記第１のタイプのデジタル信号及び前記第２のタイプのデジタル信号を組み合わせて、少なくとも１つのカバレッジ領域に関連付けられた合成電磁出力を提供するステップ、及び
該合成電磁出力信号を補うために、前記第２のタイプのデジタル信号に基づいて、該合成電磁出力信号に対して空間的にダイバーシチ関係にあるダイバース電磁出力信号を提供するステップ
からなる方法。
【請求項２】
前記合成電磁出力信号を第１のアンテナの組のうち少なくとも１つから送信するステップと、
前記ダイバース電磁出力信号を第２のアンテナの組のうち少なくとも１つから送信するステップであって、前記第２のアンテナの組は前記第１のアンテナの組から空間的にダイバーシチ関係にある、ステップと
をさらに含む請求項１に記載の方法。
【請求項３】
前記第１のアンテナの組および前記第２のアンテナの組を、本質的に同じセクタをカバーするように構成するステップをさらに含む請求項２に記載の方法。
【請求項４】
前記合成電磁出力信号を異なる周波数範囲の中の少なくとも２つの搬送波上で送信するステップをさらに含む請求項１に記載の方法。
【請求項５】
前記ダイバース電磁出力信号を異なる周波数範囲の中の少なくとも２つの搬送波上で送信するステップをさらに含む請求項１に記載の方法。
【請求項６】
前記合成電磁出力信号の送信を、定義されたシーケンスにしたがって異なるアンテナの間で交替させるステップをさらに含む請求項１に記載の方法。
【請求項７】
前記ダイバース電磁出力信号の送信を、定義されたシーケンスにしたがって異なるアンテナの間で交替させるステップをさらに含む請求項１に記載の方法。
【請求項８】
請求項１記載の方法において、該第１の通信信号送信標準が非ダイバーシチ又はプレーンモードで送信される通信信号用に構成されたものであり、該第２の通信信号送信標準が送信ダイバーシチモードで送信される通信信号用に構成されたものである方法。
【請求項９】
請求項８記載の方法において、該第１の通信信号送信標準がＩＳ−９５Ａ及びＩＳ−９５Ｂのうちの一方であり、該第２の通信信号送信標準がＩＳ−９５Ｃである方法。
【発明の詳細な説明】
【０００１】
【発明の属する技術分野】
本発明は、送信ダイバーシチを有する符号分割多元接続基地局に関する。
【０００２】
【従来の技術】
符号分割多元接続（ＣＤＭＡ）システムは、ＣＤＭＡ電気通信業界協会（ＴＩＡ）／電子業界協会（ＥＩＡ）のＩＳ−９５Ａ標準およびＩＳ−９５Ｂ標準の元で、米国および他の国々に展開されてきた。一部のサービスプロバイダは、ワイヤレスインフラストラクチャにかなりの資本を費やし、ワイヤレスのサービスエリアを拡大して加入者の需要に応じてきた。新しい標準が発展するにつれて、ＣＤＭＡ  ＴＩＡ／ＥＩＡ  ＩＳ−９５ＡおよびＩＳ−９５Ｂに従う、使用中の古い装置は老朽化する可能性に直面している。
【０００３】
１つの新しいＣＤＭＡ標準は、ＴＩＡ／ＥＩＡ  ＩＳ−２０００またはＩＳ−９５Ｃと呼ばれている。ＩＳ−９５Ｃ標準は、移動体加入者が低い可動性を有する状況で、基地局から移動局へダイバーシチ信号を送信することによって、システムの容量を強化することができる。たとえばＩＳ−９５Ｃ標準の元では、基地局は直交送信ダイバーシチを使用することができる。直交送信ダイバーシチは、異なるダウンリンクアンテナから移動局へ、信号の異なる部分を送信することを指す。
【０００４】
ＩＳ−９５Ｃ標準の所定の態様は、既存のＩＳ−９５Ａ基地局またはＩＳ−９５Ｂ基地局へのアップグレードとして追加される場合がある。たとえば、所定のＩＳ−９５Ｂデジタル信号処理ボードは、ＩＳ−９５Ｃデジタル信号処理ボードで置き換えられる可能性がある。しかし、直交送信ダイバーシチの特徴は、現場にある既存のＩＳ−９５Ａ基地局またはＩＳ−９５Ｂ基地局でボードをアップグレードするだけでは追加できない。したがって、送信ダイバーシチを提供するために、一部のサービスプロバイダは既存のＩＳ−９５Ｂ基地局およびＩＳ−９５Ａ基地局のサービスエリアとオーバレイする、二重のＩＳ−９５Ｃ基地局を提供することを選ぶ場合がある。このような状況下では、サービスプロバイダは、タワのスペースが使用可能ではない場所では、二重の基地局アンテナ、または追加の単極アンテナまたはタワさえ提供する必要がある場合がある。このような支出は結局、サービスプロバイダがＩＳ−９５Ｃ装置に取り組み、購入する気をなくしてしまう。したがって、ＩＳ−９５Ｂ基地局またはＩＳ−９５Ａ基地局を便利にアップグレードし、送信ダイバーシチを伴うＩＳ−９５Ｃ標準の元で運用するためのニーズが存在する。
【０００５】
【課題を解決するための手段】
本発明の１態様によれば、単一の基地局が第１のタイプのデジタル信号の非ダイバーシチ送信および、第２のタイプのデジタル信号のダイバーシチ送信をサポートする。基地局は、第１のタイプのデジタル信号を変調して符号化する１次チャネルボードと、第２のタイプのデジタル信号を変調して符号化する２次チャネルボードを含む。合成信号は第１のタイプのデジタル信号および第２のタイプのデジタル信号の合成を表す。第１のグループの送信無線モジュールは結合装置または適切なチャネルボードから合成デジタル信号を受け取り、合成電磁出力信号を提供する。各送信無線モジュールは、好ましくは異なるセクタに関連づけられている。第２のグループの送信無線モジュールは２次チャネルボードから第２のタイプのデジタル信号を受け取り、異なる電磁出力信号を提供して、合成電磁出力信号の少なくとも対応するダイバーシチ成分を補う。
【０００６】
【発明の実施の形態】
ここに使用されているように、送信ダイバーシチモードはダイバーシチ構成の中で異なるアンテナ上で配布される任意のダウンリンク送信を指す。ダイバーシチ構成は、空間ダイバーシチ、角ダイバーシチ、偏波ダイバーシチ、または前記のダイバーシチ構成の任意の組合せを指す。送信ダイバーシチはおおまかに、直交送信ダイバーシチ、多搬送波送信ダイバーシチ、時間切換ダイバーシチ、または前記の任意の組合せを指す。直交送信ダイバーシチは単一のダウンリンクチャネルを、対応する固有の直交符号（たとえば、Ｗａｌｓｈ符号）を伴う２つのチャネルとして符号化し、多数のアンテナ上を送信する。多搬送波送信ダイバーシチは、多数の搬送波の間で１つのチャネルを配布し、多数のアンテナ上で送信する。時間切換送信ダイバーシチは、異なるアンテナの間で１つのチャネルまたはその構成要素を切り換えて送信する。
【０００７】
送信ダイバーシチは、空間的に分離された２つのアンテナ上で符号分割多元接続（ＣＤＭＡ）チャネルを送信し、加入者局においてダイバーシチゲインを生む可能性がある、直交送信ダイバーシチを指す場合がある。直交送信ダイバーシチは、変調情報信号を異なる信号ブランチの間で配布されるダイバーシチ成分信号に分割し、異なるアンテナに供給する。変調情報信号は会話、データまたは他の通信情報を表し、好ましくはデジタルに変調された信号の形である。加入者局のレイク受信器は同期の再組合せに関してダイバーシチ成分信号を適切に遅延することによってダイバーシチ成分信号を組み立て直し、元の変調情報信号を再生成する。加入者局においてダイバーシチゲインが存在する場合、加入者局への送信パワーは低減され、理論的にはワイヤレスシステムのシステム容量を増大することになる。プレーンモードまたは非ダイバーシチモードは、１つのアンテナ上を送信されるダウンリンク信号を指す。
【０００８】
直交送信ダイバーシチでは、情報変調信号は第１の成分と第２の成分の２つの成分に分割される。第１の成分は、第１の同相ビットストリームおよび第１の直交ビットストリームを有する。第２の成分は、第２の同相ビットストリームおよび第２の直交ビットストリームを有する。１つの直交符号（たとえばＷａｌｓｈ符号）が第１の成分に適用され、別の直交符号（たとえばＷａｌｓｈ符号）が第２の成分に適用される。符号化された第１の成分および符号化された第２の成分は搬送波を変調して、第１のアンテナ上を送信される第１の直交信号および第２のアンテナ上を送信される第２の直交信号を提供し、第２のアンテナは第１のアンテナに関してダイバーシチ配置を有する。
【０００９】
第１の直交信号は１つの直交符号（たとえばＷａｌｓｈ符号）を有し、第２の直交信号は別の直交符号を有するので、加入者局の受信器は、まず直交送信ダイバーシチ信号のダウンリンク送信を２つの異なるチャネルとして処理する。加入者局のレイク受信器はフィンガを割り当てて、一意的な直交符号でチャネルの各々を復調する。デジタル信号の処理を使用して２つの異なるチャネルの間の関係を識別する。関連するチャネルはベースバンドなどで組み合わされ、基地局に適用される変調情報信号を再生成する。
【００１０】
ここに使用されているように、第１のタイプのデジタル信号および第２のタイプのデジタル信号は、符号分割多元接続（ＣＤＭＡ）システムまたは別のワイヤレスシステムに適用可能な、異なる通信信号送信標準に従う信号を表す。第１のタイプのデジタル信号は、非ダイバーシチまたはプレーンモードで送信される通信信号を表し、第２のタイプのデジタル信号は少なくとも２つのアンテナ上を送信ダイバーシチモードで送信される通信信号を表す。たとえば、第１のタイプのデジタル信号はＩＳ−９５Ａ信号またはＩＳ−９５Ｂ信号である可能性がある。第２のタイプのデジタル信号はＩＳ−９５Ｃ信号である可能性がある。ＩＳ−９５−Ｃ信号は多数のアンテナ上を直交送信ダイバーシチモードで送信されるが、ＩＳ−９５Ａ信号またはＩＳ−９５Ｂ信号は非ダイバーシチまたはプレーンモードで送信される可能性がある。
【００１１】
図１Ａは、本発明による基地局８の全体的なブロック図を示す。図１Ｂは図１Ａのブロックを実装するための構成要素の例、および例としての３セクタの構成に関する構成要素間の相互接続の例を示す。基地局８は第１のタイプのデジタル信号の非ダイバーシチ送信および、第２のタイプのデジタル信号のダイバーシチ送信をサポートする。
【００１２】
図１Ａを参照すると、基地局８はコントローラ１０を含み、１次チャネルボード１２および２次チャネルボード１４を制御する。１次チャネルボード１２は、第１のタイプのデジタル信号を変調し符号化する。２次チャネルボード１４は、第２のタイプのデジタル信号を変調し符号化する。デジタル結合装置１６の入力は、１次チャネルボード１２および２次チャネルボード１４に結合されている。１次送信器構成２０は、デジタル結合装置１６の出力に結合されている。２次送信器構成２２は、２次チャネルボード１４の出力に結合されている。１次送信器構成２０は合成電磁出力信号を提供する。２次送信器構成２２は異なる電磁出力信号を提供して、合成電磁出力信号の少なくとも対応するダイバーシチ成分を補う。１次送信器構成２０は第１のアンテナの組２８に結合され、２次送信器構成２２は第２のアンテナの組３０に結合されている。
【００１３】
図１Ｂを参照すると、１次送信器構成２０は、第１のグループの送信無線モジュール１８を含み、結合装置１６または他から合成デジタル信号を受け取る。２次送信器構成２２は第２のグループの送信無線モジュール１８を含み、２次チャネルボード１４から第２のタイプのデジタル信号を受け取る。１実施形態では、各送信無線モジュール１８は好ましくは異なるセクタに関連づけられている。
【００１４】
本発明の基地局８は、アップグレードアセンブリ３２で既存の基地局をアップグレードした結果である場合があるが、基地局は送信ダイバーシチモードおよび非ダイバーシチでの送信をサポートする基地局として最初から製造される場合もある。図１Ｂは、既存のアセンブリ３４およびアップグレードアセンブリ３２の１実施形態の構成要素を示す。アップグレードアセンブリ３２は既存のアセンブリ３４と共同して、既存のアセンブリ３４が送信ダイバーシチ動作を行えるようにする。既存のアセンブリ３４は少なくとも、１次チャネルボード１２および１次送信器構成２０を含む。アップグレードアセンブリ３２は、好ましくは２次チャネルボード１４、１次チャネルボード１２および２次チャネルボード１４を制御するコントローラ１０、デジタル結合装置１６、および２次送信器構成２２を含む。
【００１５】
コントローラ１０は、制御およびトラフィックバス５４を介して１次チャネルボード１２、２次チャネルボード１４、およびデジタル結合装置１６に結合されている。１次チャネルボード１２は第１の送信バス５５を介して互いに縦に結合され、第１のタイプのデジタル信号を１次送信器構成２０にルーティングする。１次送信器構成２０は、対応する異なるセクタに関連づけられた別々の信号ブランチを有する。図１Ｂに示されたように、３つの異なるセクタが存在し、アルファセクタ、ベータセクタ、ガンマセクタと指定されているが、代替の実施形態では、実質的に任意の数のセクタが可能であり、本発明の範囲に入る。１次送信器構成２０は、第１のアンテナの組２８の、第１のアルファアンテナ９５、第１のベータアンテナ９７、および第１のガンマアンテナ９９に結合されている。
【００１６】
２次チャネルボード１４は、第２の送信バス５６を介して互いに縦に結合されている。２次チャネルボード１４はデジタル結合装置１６および２次送信器構成２２に結合されている。２次チャネルボード１４は、第２のタイプのデジタル信号（たとえばＩＳ−９５Ｃ）にしたがってベースバンド信号を変調し符号化するなど、デジタル信号の処理を提供するように構成されている。２次チャネルボード１４は、処理された第２のタイプのデジタル信号の１つのダイバーシチ成分を、デジタル結合装置１６を介して１次送信器構成２０にルーティングする。２次チャネルボード１４は、第２のタイプのデジタル信号の別のダイバーシチ成分を２次送信器構成２２にルーティングする。図１Ｂに示されるように、２次送信器構成２２は、アルファセクタ、ベータセクタ、およびガンマセクタを含む、対応する異なるセクタに関連づけられた別々の信号ブランチを有するが、別のアンテナ構成も可能である。２次送信器構成２２は、第２のアンテナの組３０の、第２のアルファアンテナ１９５、第２のベータアンテナ１９７、および第２のガンマアンテナ１９９に結合されている。
【００１７】
第１のアルファアンテナ９５および第２のアルファアンテナ１９５は、好ましくは重複するアンテナ放射パターンでアルファセクタを処理する。第１のベータアンテナ９７および第２のベータアンテナ１９７は、好ましくはベータセクタを処理する。第１のガンマアンテナ９９および第２のガンマアンテナ１９９は、好ましくはガンマセクタを処理する。
【００１８】
送信ダイバーシチモードでは、基地局８は第２のタイプのデジタル信号（たとえばＩＳ−９５Ｃ）のダウンリンク信号を、任意のセクタの１つに関連づけられた異なるアンテナ上を同時に送信する場合がある。１つの例では、第２のタイプのデジタル信号のダウンリンクチャネルは、ダイバーシチ成分信号として、第１のアルファアンテナ９５および第２のアルファアンテナ１９５の上を同時に送信される。別の例では、第２のタイプのデジタル信号のダウンリンクチャネルは、ダイバーシチ成分信号として、第１のベータアンテナ９７および第２のベータアンテナ１９７の上を同時に送信される。さらに別の例では、第２のタイプのデジタル信号のダウンリンクチャネルは、ダイバーシチ成分信号として、第１のガンマアンテナ９９および第２のガンマアンテナ１９９の上を同時に送信される。ダイバーシチ成分信号は、情報信号のサンプリンググループから導出された同相（Ｉ）シンボルストリームおよび直交（Ｑ）シンボルストリームを含む。プレーンモードでは、基地局８は第１のタイプのデジタル信号（たとえばＩＳ−９５Ａ）のダウンリンク信号を第１のアンテナの組２８の１つのセクタ上のみで送信する。基地局８は、たとえば、同じ搬送波上にある異なるダウンリンクチャネル上で同時に、プレーンモードおよび送信ダイバーシチモードで動作することができる。
【００１９】
基地局８は、非ダイバーシチモードに割り当てられたチャネルを次の方法で処理する。コントローラ１０は、第１のデジタルタイプのダウンリンクチャネル上での送信のための情報を、制御およびトラフィックデータバス５４上で１次チャネルボード１２へ提供する。１次チャネルボード１２は第１の１次チャネルボード４０から第Ｍの１次チャネルボード４２の範囲に渡り、各チャネルボードは空気インタフェースの少なくとも１つの順方向チャネルを処理する。１次チャネルボード１２は、ＩＳ−９５ＡおよびＩＳ−９５Ｂにしたがってベースバンド信号を変調および符号化するなど、デジタル信号の処理を提供するように構成されている。
【００２０】
基地局８は、ダイバーシチモードに割り当てられたチャネルを次の方法で処理する。コントローラ１０は、第２のデジタルタイプのダウンリンクチャネル上で送信するための情報を、制御およびトラフィックデータバス５４上で２次チャネルボード１４へ提供する。２次チャネルボード１４は、第１の２次チャネルボード３６から第Ｋの２次チャネルボード３８の範囲に渡る。すべてのチャネルが送信ダイバーシチモードで動作できるように、Ｍは好ましくはＫに等しいが、代替の実施形態では、ＭはＫとは異なる場合もある。このように、同じ基地局８がＩＳ−９５Ａモード、ＩＳ−９５Ｂモード、およびＩＳ−９５Ｃモードで動作する加入者局の動作をサポートすることができる。ＩＳ−９５Ａ加入者局およびＩＳ−９５Ｂ加入者局は後方互換性の利点を実現し、ＩＳ−９５Ｃ加入者局は、サービスプロバイダが送信ダイバーシチを通してワイヤレスシステム容量を強化することを可能にする。
【００２１】
１次チャネルボード１２は段に構成され、１つの１次チャネルボード１２の出力が次の１次チャネルボード１２の入力となるように、第１の送信バス５５によって相互接続されて、呼の追加がセクタに関連づけられた合成信号を専有することを促進する。１次チャネルボード１２は、アクティブなチャネルに関してデジタルベースバンド信号を所与のセクタに共に加え、合成スペクトラム拡散同相信号および直交信号を各セクタに関して生成する。合成同相信号および直交信号は、１次チャネルボードの第２の段から最後の段（すなわち、第Ｍの１次チャネルボード４２）の、第１の送信バス５５上に存在する。第２の段では、１次チャネルボード１２は第１の１次チャネルボード４０と第Ｍの１次チャネルボード４２の間で第１の１次チャネルボード４０と縦に結合されている。
【００２２】
各１次チャネルボード１２は、特定の１次チャネルボード１２に割り当てられた呼およびセクタに追加を実行する。図１Ｂに示されたように、各１次チャネルボード１２は最高で３つのセクタに関して呼を処理するので、３つの合成同相信号および直交信号が第２の１次チャネルボードから第Ｍの１次チャネルボード４２へ出力として提供される。１次チャネルボード１２は、同じセクタに関連づけられた異なるチャネルをセクタごとに組み合せる。
【００２３】
２次チャネルボード１４は、セクタごとに合成信号を生成する。２次チャネルボード１４は、１次チャネルボード１２と同様に、段ごとに異なる呼を合成信号に追加する。
【００２４】
第１の１次チャネルボード４０は、少なくとも１つの非ダイバーシチダウンリンク通信チャネルをサポートする。図１Ｂに示されたように、第１の１次チャネルボード４０は、入力インタフェースを含む必要はなく、出力インタフェースを含んで異なるセクタを処理する場合がある。たとえば、出力インタフェースは、アルファセクタ、ベータセクタ、およびガンマセクタのために、デジタルベースバンド信号として同相成分および直交成分を含む６つの出力ポートを提供する場合がある。第２の１次チャネルボードから第Ｍの１次チャネルボード４２は各々、入力インタフェースおよび出力インタフェースを含み、１次チャネルボード１２を多数の段に縦続接続して多数のチャネルを処理する場合がある。
【００２５】
代替の実施形態では、製造の規模の経済を達成するために、第１の１次チャネルボード４０から第Ｍの１次チャネルボード４２は同一であり、各１次チャネルボード１２は入力インタフェースおよび出力インタフェースを含む場合がある。したがって、存在する場合には、第１の１次チャネルボード４０の入力インタフェースは負荷抵抗器によって終了されて入力インタフェースのインピーダンスを一致させるか、別の適切な方法で構成されることになる。
【００２６】
第１の２次チャネルボード３６は、少なくとも１つのダイバーシチダウンリンク通信チャネルをサポートする。図１Ｂに示されたように、第１の２次チャネルボード３６は、入力インタフェースを含む必要はなく、出力インタフェースを含んで異なるセクタを処理する場合がある。たとえば、出力インタフェースは、第１のアンテナの組２８および第２のアンテナの組３０のアルファセクタ、ベータセクタ、およびガンマセクタのために、デジタルベースバンド信号として同相成分および直交成分を含む１２の出力ポートを提供する場合がある。第２の２次チャネルボードから第Ｋの２次チャネルボード３８は各々、入力インタフェースおよび出力インタフェースを含み、２次チャネルボード１４を多数の段に縦続接続して多数のダイバーシチチャネルを処理する場合がある。
【００２７】
代替の実施形態では、製造の規模の経済を達成するために、第１の２次チャネルボード３６から第Ｋの２次チャネルボード３８は同一であり、各２次チャネルボード１４は入力インタフェースおよび出力インタフェースを含む場合がある。したがって、存在する場合には、第１の２次チャネルボードの入力インタフェースは負荷抵抗器によって終了されて入力インタフェースのインピーダンスを一致させるか、別の適切な方法で構成されることになる。
【００２８】
図１Ｂに示されるように、１次チャネルボード１２の出力７９および２次チャネルボード１４の所定の出力ポート７７はデジタル結合装置１６の入力ポートに結合されている。２次チャネルボード１４の所定の出力ポート７７は好ましくは、（第２のアンテナの組３０上を送信するための）第２のタイプのデジタル信号の別のデジタル信号成分に対応する（第１のアンテナの組２８上を送信するための）１つのデジタル信号成分を提供する。デジタル結合装置１６は、好ましくは第Ｍの１次チャネルボード４２の出力インタフェースからの入力および、第Ｋの２次チャネルボード３８の出力インタフェースの所定の出力ポート７７に関連づけられた入力を受け取る。第Ｋの２次チャネルボード３８の出力インタフェースの所定の出力ポート７７は、第１のアンテナの組２８のセクタに向けられた出力信号を含む。１実施形態では、第Ｋの２次チャネルボード３８の出力インタフェースの一部は多心ケーブルを介してデジタル結合装置１６に結合されている。
【００２９】
別の実施形態では、２次チャネルボード１４の所定の出力ポート７７は、光ファイバインタフェースを介して結合装置ボードに結合されている。光ファイバインタフェースは、光ファイバ通信ケーブルによって相互接続されている１対の光トランシーバを備える場合がある。デジタル結合装置１６は、１次送信器構成２０に結合された出力ポートを含む場合がある。デジタル結合装置１６は、１次チャネルボード１２から１次送信器構成２０へ第１のタイプの信号を渡す。
【００３０】
１次送信器構成２０は対応する電力増幅器２４に結合された送信無線モジュール１８を含み、対応するセクタに関連づけられた異なる信号ブランチをサポートする。送信無線モジュール１８は、第１のタイプの信号、第２のタイプの信号、または第１のタイプの信号および第２のタイプの信号を含む合成信号のベースバンド信号を無線周波数またはマイクロ波周波数に変換し、加入者局に送信するアップコンバータを備える場合がある。たとえば、送信無線モジュール１８は、セクタのうち１つに関連づけられた変調済み同相ベースバンド信号および直交ベースバンド信号を組みこんだ、低電力無線周波数信号を所望の搬送波周波数で生成する場合がある。電力増幅器２４は、通過帯域フィルタまたはノッチフィルタなどのフィルタ２６に結合され、基地局８からのダウンリンク送信を所望の帯域幅に制限する場合がある。１次送信器構成２０は、第１のアンテナの組２８（たとえば指向性アンテナ）に結合されている場合がある。１実施形態では、１次送信器構成２０の送信無線モジュール１８、電力増幅器２４、およびフィルタ２６の各々は第１のアンテナの組２８の対応するセクタに関連づけられている。
【００３１】
２次送信器構成２２は、第Ｋの２次チャネルボード３８の出力インタフェースに結合される場合がある。２次送信器構成２２は、対応する電力増幅器２４に結合された送信無線モジュール１８を含み、対応するセクタに関連づけられた異なる信号ブランチをサポートする場合がある。電力増幅器２４はフィルタ２６に結合される場合がある。２次送信器構成２２は第２の指向性アンテナの組３０に結合される場合がある。１実施形態では、２次送信器構成２２の送信無線モジュール１８、電力増幅器８４、およびフィルタ２６の各々は第２のアンテナの組３０の対応するセクタに関連づけられている。
【００３２】
１次送信器構成２０は第１のタイプのデジタル信号および第２のタイプのデジタル信号を受け取り、ダウンリンク送信として送信する。第１のタイプのデジタル信号は非ダイバーシチ送信チャネルと関連づけられており、第２のタイプのデジタル信号はダイバーシチ送信チャネルと関連づけられている。１次送信器構成２０は、１次送信器構成２０の入力からアルファセクタ、ベータセクタ、およびガンマセクタに関する第１のアンテナの組２８まで広がるダイバーシチ信号ブランチの第１の組２８をサポートする。２次送信器構成２２は、２次送信器構成２２の入力からアルファセクタ、ベータセクタ、およびガンマセクタに関する第２のアンテナの組３０まで広がるダイバーシチ信号ブランチの第２の組３０をサポートする。
【００３３】
第２のアンテナの組３０は、好ましくは、第１の組２８および第２の組３０からダウンリンク送信を受信する加入者局のために空間的なダイバーシチゲインを生成するのに十分な量だけ、第１のアンテナの組２８から空間的に分離されている。たとえば、第１のアンテナの組２８はセルの３つのセクタに関する指向性アンテナを含み、第２のアンテナの組３０は同じ３つのセクタに関する指向性アンテナを含む場合、同じセクタを処理するアンテナは好ましくは動作の周波数において、５波長から２０波長の範囲で分離されている。すなわち、空間的に異なるアンテナの対が各アンテナに関して提供される場合がある。第２のタイプのデジタル信号および第１のタイプのデジタル信号は、対のうち１つのアンテナを共有することができる。第２のタイプのデジタル信号は、対のうちもう１つのアンテナ上を搬送される。
【００３４】
代替の実施形態では、空間ダイバーシチ以外の代替のダイバーシチ構成が別々に使用されるかまたは組み合せて使用され、ダウンリンク送信性能を向上させる場合がある。このような代替のダイバーシチ構成は、第１のアンテナの組２８と第２のアンテナの組３０の間の角ダイバーシチおよび偏波ダイバーシチを含む。角ダイバーシチはセクタ内で異なる方向に照準されているアンテナを指す。たとえば、第１のアンテナの組２８および第２のアンテナの組３０はアルファセクタ、ベータセクタ、およびガンマセクタに関して、方位角、仰角、またはその両方で所定の角度だけオフセットされている場合がある。偏波ダイバーシチは異なる偏波を伴うアンテナを指す。たとえば、第１のアンテナの組２８および第２のアンテナの組３０は、アルファセクタ、ベータセクタ、およびガンマセクタの中で互いにクロス偏波される場合がある。
【００３５】
図２Ａは、ＩＳ−９５ＡモードまたはＩＳ−９５Ｂモードでの動作に関して、図１Ａおよび図１Ｂの基地局８の選択された構成要素を示す。ＩＳ−９５ＡまたはＩＳ−９５Ｂ以外のモードで動作するための基地局８の所定の他の構成要素は、明確に説明するために省略されている。図１Ａ、図１Ｂおよび図２Ａの同様の参照番号は、同様の要素を示す。
【００３６】
１次チャネルボード１２は、コントローラ１０からユーザが生成した情報（たとえば音声情報またはデータ情報）の入力信号を受け取り、変調され符号化されたベースバンド出力信号を、デジタル結合装置１６を介して１次送信器構成２０に提供する。１次チャネルボード１２はミクサ５８に結合された変調器４６を含む。符号器４８は、ミクサ５８への入力を提供する。ミクサ５８の出力はデジタル信号処理システム６０に結合され、他のデジタル信号処理を行う場合がある。
【００３７】
入力信号は、アルファセクタなどのセクタ上で、ＩＳ−９５ＡモードまたはＩＳ−９５Ｂモードで動作する加入者局へ送信することを目的としたユーザ信号のビットストリームを含む。変調器４６は入力信号の交互のビットをとり（たとえば一つ置きのビット）、入力信号からデジタルベースバンド信号の同相ビットストリームおよび直交ビットストリームを形成する。符号器４８は、同相ビットストリームおよび直交ビットストリームを、たとえば６４ビット長のＷａｌｓｈ符号で符号化し、ＣＤＭＡ搬送波上で他のダウンリンクチャネルから区別可能なダウンリンクチャネルを定義する場合がある。符号化された同相ビットストリームおよび符号化された直交ビットストリームはデジタル信号処理システム６０によって処理され、デジタル結合装置１６を介して１次送信器構成２０に渡される。１次送信器構成２０は、処理された同相ビットストリームおよび直交ビットストリームを合成無線周波数またはマイクロ波信号として、第１のアンテナの組２８に関連づけられた特定のセクタに向けて１つのアンテナ上を送信する。
【００３８】
図２Ｂは、送信ダイバーシチを伴わないＩＳ−９５Ｃモードでの動作に関する図１Ａおよび図１Ｂの基地局８の選択された構成要素を示し、本発明の１実施形態による、送信ダイバーシチモードおよび非ダイバーシチ送信モードにおける基地局の二重モード動作をサポートすることと一致している。ＩＳ−９５Ｃ以外のモードでの動作に関する図１Ａおよび図１Ｂの基地局８の一部の構成要素は、明確に説明するために省略されている。図１Ａ、図１Ｂおよび図２Ｂの同様の参照番号は同様の要素を示す。
【００３９】
２次チャネルボード１４は、コントローラ１０からユーザが生成した入力（たとえばデータまたは音声）信号を受け取り、変調され符号化されたベースバンド出力信号を２次送信器構成２２に提供する。２次チャネルボード１４は、ミクサ５８に結合された変調器１４６を含む。符号器６４はミクサ５８への入力を提供する。符号器６４はたとえば、１２８ビット長のＷａｌｓｈ符号で同相ビットストリームおよび直交ビットストリームを符号化し、ＣＤＭＡ搬送波上で他のダウンリンクチャネルから区別可能なダウンリンクチャネルを定義する場合がある。ミクサ５８の出力はデジタル信号処理システム６０に結合され、他のデジタル信号処理を行う場合がある。
【００４０】
ユーザが生成した入力信号は、アルファセクタなどのセクタ上で加入者局へダウンリンク送信することを目的としたビットストリームを含む。変調器１４６は入力信号の交互のビットをとり（たとえば一つ置きのビット）、入力信号から同相ビットストリームおよび直交ビットストリームを伴うベースバンド信号を形成する。２次チャネルボード１４は２次送信器構成２２に供給する。同相ビットストリームおよび直交ビットストリームは、合成無線周波数またはマイクロ波信号として、第２のアンテナの組３０に関連づけられた特定のセクタに向けて１つのアンテナ上を送信される場合がある。
【００４１】
図２Ｃは、送信ダイバーシチを伴うＩＳ−９５Ｃモードで動作する図１Ａおよび図１Ｂの基地局８を示す。図２Ｃは、送信ダイバーシチを伴うＩＳ−９５Ｃモードの動作に関する、選択された構成要素を示す。他のモードでの動作に関する基地局８の一部の構成要素は、明確に説明するために省略されている。図１Ａ、図１Ｂ、および図２Ｃの同様な参照番号は同様な要素を示す。
【００４２】
２次チャネルボード１４はコントローラ１０からユーザが生成した情報（たとえば音声情報またはデータ情報）の入力信号を受け取る。２次チャネルボード１４は、変調され符号化されたベースバンド出力信号を１次送信器構成２０および２次送信器構成２２に提供する。２次チャネルボード１４はミクサの２つの対に結合された変調器１４６を含む。第１の符号器６２はミクサの第１の対１５８に入力を提供し、第２の符号器６４はミクサの第２の対２５８に入力を提供する。ミクサの第１の対１５８および第２の対２５８の出力は、少なくとも１つのデジタル信号処理システム６０に結合されている場合がある。
【００４３】
入力信号は、第１のアンテナの組２８のアルファセクタおよび第２のアンテナの組３０のアルファセクタなどのセクタ上でダイバーシチ送信することを目的としたユーザ信号のビットストリームを含む。変調器４６は入力信号の交互のビットをとり、入力信号からデジタルベースバンド信号の第１の同相ビットストリーム、第２の同相ビットストリーム、第１の直交ビットストリーム、および第２の直交ビットストリームを形成する。第１および第２の同相ビットストリーム、および第１および第２の直交ビットストリームは共に、ユーザが生成した入力に基づく単一のダウンリンクチャネルの情報を含む。第１の符号器６２は第１の同相ビットストリームおよび第１の直交ビットストリームを、たとえば２５６ビット長の１つのＷａｌｓｈ符号で符号化し、ＣＤＭＡ搬送波上で他のダウンリンクチャネルから区別可能なダウンリンクチャネルの一部を定義する場合がある。第２の符号器６４は第２の同相ビットストリームおよび第２の直交ビットストリームを、たとえば２５６ビット長の１つのＷａｌｓｈ符号で符号化し、ＣＤＭＡ搬送波上で他のダウンリンクチャネルから区別可能なダウンリンクチャネルの残りの部分を定義する場合がある。符号化された第１の同相ビットストリームおよび第１の直交ビットストリームは、合成無線周波数またはマイクロ波信号として第１のアンテナの組２８に関連づけられた特定のセクタに向けて、１つのアンテナ上を送信される。符号化された第２の同相ビットストリームおよび第２の直交ビットストリームは、合成無線周波数またはマイクロ波信号として、第２のアンテナの組３０に関連づけられた特定のセクタに向けてアンテナ上を送信される。第１の同相ビットストリーム、第２の同相ビットストリーム、第１の直交ビットストリームおよび第２の直交ビットストリームを受信すると、加入者局はユーザ入力信号のレプリカあるいは再現を再構成する。有利には、移動局は、第１の組２８および第２の組３０からのダイバーシチ信号成分に冗長情報が存在する場合に、ダイバーシチゲインを実現する場合がある。第１の組２８および第２の組３０からのダイバーシチ信号成分が全体として相関していない時、実現可能なもっとも高いダイバーシチゲインという結果が生まれる。
【００４４】
図３Ａおよび図３Ｂは、図１Ａおよび図１Ｂの基地局の代替の実施形態を示す。図１Ａ、図１Ｂ、図３Ａ、および図３Ｂの同様の参照番号は同様の要素を示す。図３Ａおよび図３Ｂの基地局１０８は図１Ａおよび図１Ｂの基地局８と同様であるが、図３Ａおよび図３Ｂの基地局１０８はデジタル結合装置１６および第Ｍの１次チャネルボード４２を含まない点のみが異なる。その代わりに、図３Ａおよび図３Ｂは各々、Ｍ−１（すなわちＭマイナス１）の１次チャネルボード１２および出力チャネルボード４４を含む。出力チャネルボード４４は、１次チャネルボード１２および２次チャネルボード１４に結合された入力インタフェースを含む。出力チャネルボード４４は１次送信器構成２０に結合された出力インタフェースを含む。
【００４５】
図３Ａは、基地局１０８の全体的なブロック図を示す。図３Ｂは図３Ａのブロックを実装するための構成要素の例と、例としての３つのセクタの構成に関する構成要素の間の相互接続の例を示す。１次チャネルボード１２は縦に結合され、第１のタイプのデジタル信号を出力チャネルボード４４にルーティングする。出力チャネルボード４４は第１のタイプのデジタル信号および第２のタイプのデジタル信号の入力をサポートし、対応する異なるセクタに関連づけられたブランチに信号送信する。出力チャネルボード４４は、好ましくは、出力インタフェースのポートの２倍の入力インタフェースのポートを含み、直交送信ダイバーシチを伴うＩＳ−９５Ｃモードでの動作に対応する。
【００４６】
図４Ａおよび図４Ｂは、図１Ａおよび図１Ｂの基地局８の代替の実施形態を示す。図４Ａおよび図４Ｂの基地局２０８は、図１Ａおよび図１Ｂの基地局８と同様であるが、図４Ａおよび図４Ｂの基地局２０８はデジタル結合装置１６を含まず、異なる第１の１次チャネルボード１４０を特色とする点のみが異なる。図１Ａ、図１Ｂ、図４Ａおよび図４Ｂの同様の参照番号は同様の要素を示す。図４Ａおよび図４Ｂの１次チャネルボードは、参照番号１１２で示されている。図４Ａおよび図４Ｂの第１の１次チャネルボード１４０は、２次チャネルボード１４からの出力を受け取る入力インタフェースを有する。したがって、第１の１次チャネルボード１４０の入力インタフェースは、第Ｋの２次チャネルボード３８の出力インタフェースの出力ポートの数と比例するかまたは等しい数の入力ポートを有する。
【００４７】
図１Ａから図４Ｂに示された例の、種々の変更形態が可能である。たとえば、任意の１次チャネルボードは追加の入力ピンを有し、第２のタイプのデジタル信号を受け取って、１次チャネルボードに存在する第１のタイプのデジタル信号と組み合わせる場合がある。第２のタイプのデジタル信号は２次チャネルボードの接続から１次チャネルボードの追加のピンまでルーティングされる場合がある。他の例では、１次送信器構成の送信無線モジュールは整数結合装置を備え、第１のタイプのデジタル信号と第２のタイプのデジタル信号を結合する場合がある。
【００４８】
主に直交送信ダイバーシチに関して本発明の基地局を説明したが、代替の実施形態では、基地局は、符号分割多元接続搬送波がダイバーシチ構成の多数のアンテナから送信され、１グループのチャネルをサポートする広帯域信号を形成する、多搬送波送信ダイバーシチをサポートする場合もある。したがって、図１Ｂ、図３Ｂおよび図４Ｂのうち任意の図における同相信号および直交信号は、多数のＣＤＭＡ搬送波からの異なるチャネルの多重同相信号および多重直交信号を表す場合がある。セクタ化されたアンテナから送信される電磁信号は、多数のＣＤＭＡ搬送波または単一のＣＤＭＡ搬送波に向けられた変調済み情報を含む場合がある。
【００４９】
図１Ｂ、図３Ｂ、または図４Ｂに適用可能な多重同相信号および多重直交信号は、本発明による多搬送波構成の例を表すが、他の構成は１次送信器構成、２次送信器構成、または他の構成で異なる搬送波からの信号を組み合せる場合がある。合成電磁出力信号は多重同相信号および多重直交信号を使用することによって、異なる周波数範囲の中で少なくとも２つの搬送波上を送信され、多搬送波ダイバーシチを促進する場合がある。同様に、多重同相信号および多重直交信号を使用することにより、異なる電磁出力信号が異なる周波数範囲の中で少なくとも２つの搬送波上を送信される場合がある。所望であればこのような多搬送波ダイバーシチは、直交送信ダイバーシチと同時に実行される可能性がある。少なくとも２つの搬送波によって形成される比較的広い帯域幅上で電磁信号を送信すると、送信された信号のフェージング特性が向上する傾向がある。
【００５０】
多搬送波送信ダイバーシチ構成では、広帯域ＣＤＭＡ信号は多数の（たとえば３つの）異なる周波数範囲内で多数の（たとえば３つの）搬送波として分離され、送信される場合がある。ダウンリンクチャネルは、多搬送波送信ダイバーシチ構成の中で多搬送波上で配布される。したがって、受信器は多搬送波からの情報を使用して１つのチャネルを回復する。多搬送波送信ダイバーシチ構成の元では、複数の搬送波が単一のアンテナ上で送信される可能性がある。たとえば、３つの搬送波が存在する場合、第１の搬送波および第２の搬送波は第１のアンテナから送信され、第３の搬送波は第１のアンテナに関してダイバーシチ構成になっている第２のアンテナから送信される可能性がある。多搬送波送信ダイバーシチはアンテナごとに１つの搬送波を送信し、受信器は多搬送波からの情報を使用して各チャネルを回復する場合がある。
【００５１】
主に直交送信ダイバーシチに関して本発明の基地局を説明したが、代替の実施形態では、基地局は時間切換ダイバーシチをサポートする場合がある。時間切換ダイバーシチはダウンリンク送信またはその構成要素をアンテナの間で切り換えることを指す（たとえば第１の組２８と第２の組３０の間）。時間切換ダイバーシチは１次チャネルボード（たとえば１２）および２次チャネルボード（たとえば１４）による処理の後に、無線周波数レベルまたはマイクロ波周波数レベルで達成される場合がある。たとえば、無線周波数切換マトリックスは１次送信器構成２０の出力と第１の組２８の間、および２次送信器構成２２の出力と第２の組３０の間で結合され、時間切換ダイバーシチ動作を促進する場合がある。
【００５２】
切換マトリックスの入力ポートと出力ポートの間のアクティブな相互接続における変化は、擬似乱数符号などにしたがって達成される場合がある。切換マトリックスは合成電磁出力信号の送信を、擬似乱数符号などの定義されたシーケンスにしたがって異なるアンテナの間で入れ替える場合がある。切換マトリックスは異なる電磁出力信号の送信を、擬似乱数符号などの定義されたシーケンスにしたがって異なるアンテナの間で入れ替える場合がある。所望であれば、時間切換ダイバーシチは直交送信ダイバーシチと同時に実行できる。
【００５３】
図５は、本発明による送信ダイバーシチ信号を送信する方法のフローチャートである。方法はステップＳ１０で開始する。ステップＳ１０では、第１のタイプのデジタル信号が変調され符号化される。第１のタイプのデジタル信号は、第１の変調情報信号で変調される場合がある。第１の変調情報信号は、１つの加入者局に送信されるべき音声情報またはデータを表す。第１のタイプのデジタル信号は各アクティブな加入者局ごとに１つの直交符号で符号化され、１つまたは複数のダウンリンクチャネルを定義する。ＣＤＭＡの状況では、直交符号は好ましくはＷａｌｓｈ符号である。１実施形態では、第１のタイプのデジタル信号は国際標準（ＩＳ）−９５Ａ信号または国際標準（ＩＳ）−９５Ｂ信号を含む。
【００５４】
ステップＳ１２では、第２のタイプのデジタル信号は、第１の変調情報信号とは異なる、第２の変調情報信号で変調される。第２の変調情報信号は、ステップＳ１０で参照された加入者局とは異なる、別の加入者局へ送信されるべき音声情報またはデータを表す。第２のタイプのデジタル信号は各アクティブな加入者局ごとに少なくとも１つの直交符号で符号化され、１つまたは複数のダウンリンクチャネルを定義する。たとえば、直行送信ダイバーシチを達成するために、第２のタイプのデジタル信号は２つの異なる直交符号で符号化され、２つのダウンリンクチャネルを定義して、加入者局へ各々ダウンリンク送信する。１実施形態では、第２のタイプのデジタル信号は、国際標準（ＩＳ）−９５Ｃ信号を含む。
【００５５】
ステップＳ１４では、第１のタイプのデジタル信号と第２のタイプのデジタル信号が組み合わされて、組み合わされたベースバンド信号を提供する。さらに、組み合わされたベースバンド信号は、必要に応じてアップコンバートされ増幅されて、少なくとも１つのカバレッジ領域（たとえばセクタまたはセル）に関連づけられた合成電磁出力信号を提供する。第１のタイプのデジタル信号および第２のタイプのデジタル信号は、図１Ａに示されたようにデジタル結合装置１６を使用して組み合わせるか、図３Ａに示されたように１次チャネルボード１１２を使用して組み合わせるか、図４Ａに示されたように出力チャネルボード４４を使用して組み合わせる場合がある。第１のタイプのデジタル信号および第２のタイプのデジタル信号は、第１の変調情報信号および第２の変調情報信号の情報内容の損失、誤り、破壊なしに、ベースバンドにおいてこのような組合せに関して互換性があると定義される。ステップＳ１４のアップコンバートおよび増幅は、１次送信器構成２０によって達成される場合がある。
【００５６】
ステップＳ１６では、異なる電磁出力信号は第２のタイプのデジタル信号に基づいて提供される。第２のタイプのデジタル信号はベースバンド信号を表し、異なる電磁信号はスペクトラム拡散変調（たとえばＣＤＭＡ変調）を伴う無線周波数またはマイクロ波信号を表す場合がある。さらに、異なる電磁信号は増幅されるか別の方法で処理される場合がある。ステップＳ１６は、２次送信器構成２２を使用することによって達成される場合がある。
【００５７】
異なる電磁出力信号は、合成電磁出力信号を補う。合成電磁出力信号は、第１のアンテナの組のうち少なくとも１つから送信される。異なる電磁出力信号は、第２のアンテナの組のうち少なくとも１つから送信される。１実施形態では、第２のアンテナの組は第１のアンテナの組から空間的に異なる。第１のアンテナの組および第２のアンテナの組は、実質的に同じカバレッジ領域（たとえばセクタまたはセル）をカバーするように調整されている。
【００５８】
１実施形態では、合成電磁出力信号は、異なる周波数範囲内で少なくとも２つの搬送波上で送信される。異なる電磁出力信号は、異なる周波数範囲内の少なくとも２つの搬送波上で、合成電磁出力信号と同時にまたは非同時に送信される場合がある。
【００５９】
他の実施形態では、合成電磁出力信号の送信は、定義されたシーケンスにしたがって異なるアンテナの間で交替する場合がある。異なる電磁出力信号の送信は、定義されたシーケンスにしたがって異なるアンテナの間で、合成電磁出力信号の送信と同時にまたは非同時に交替する場合がある。異なる電磁出力信号の交互の送信は、好ましくは、合成電磁信号の送信と同期され、調整され、アンテナ使用の衝突または望ましくない干渉を避ける。離散インターバルに関する送信の禁止を表す時間保護帯域を使用して、このような望ましくない干渉を防ぐ場合もある。
【００６０】
この明細書は、本発明の種々の例としての実施形態を説明する。請求項の範囲は、この明細書に開示された例としての実施形態の種々の変更形態および等価な構成をカバーすることを目的としている。したがって、首記の請求項は、本発明の精神および範囲と一致する変更形態、等価の構造および機能をカバーする、合理的にもっとも広い解釈を与えられるべきである。
【図面の簡単な説明】
【図１Ａ】本発明による、アップグレードされた基地局のブロック図である。
【図１Ｂ】本発明による、アップグレードされた基地局のブロック図である。
【図２Ａ】図１Ａおよび図１Ｂの基地局の、ＩＳ−９５Ａ動作モードまたはＩＳ−９５Ｂ動作モードを示すブロック図である。
【図２Ｂ】図１Ａおよび図１Ｂの基地局の、直交送信ダイバーシチを伴わないＩＳ−９５Ｃモードを示すブロック図である。
【図２Ｃ】図１Ａおよび図１Ｂの基地局の、直交送信ダイバーシチを伴うＩＳ−９５Ｃモードを示すブロック図である。
【図３Ａ】本発明による、アップグレードされた基地局の代替の実施形態のブロック図である。
【図３Ｂ】本発明による、アップグレードされた基地局の代替の実施形態のブロック図である。
【図４Ａ】本発明による、アップグレードされた基地局の他の代替の実施形態のブロック図である。
【図４Ｂ】本発明による、アップグレードされた基地局の他の代替の実施形態のブロック図である。
【図５】本発明による送信ダイバーシチ信号を送信する方法のフローチャートである。
【符号の説明】
８  基地局
１０  コントローラ
１２  １次チャネルボード
１４  ２次チャネルボード
１６  デジタル結合装置
１８  送信無線モジュール
２０  １次送信器構成
２２  ２次送信器構成
２４  電力増幅器
２６  フィルタ
２８  第１のアンテナの組
３０  第２のアンテナの組
３２  アップグレードアセンブリ
３４  既存のアセンブリ
３６  第１の２次チャネルボード
３８  第Ｋの２次チャネルボード
４０  第１の１次チャネルボード
４２  第Ｍの１次チャネルボード
４６  変調器
４８  符号器
５４  制御およびトラフィックバス
５５  第１の送信バス
５６  第２の送信バス
５８  ミクサ
６０  デジタル信号処理システム
６２  第１の符号器
６４  第２の符号器
７７  出力ポート
８４  電力増幅器
９５  第１のαアンテナ
９７  第１のβアンテナ
９９  第１のγアンテナ
１０８  基地局
１１２  １次チャネルボード
１４０  １次チャネルボード
１４６  変調器
１５８  ミクサ
１９５  第２のαアンテナ
１９７  第２のβアンテナ
１９９  第２のγアンテナ
２０８  基地局
２５８  ミクサ
【図１Ａ】
0003902920.tif 000002
【図１Ｂ】
0003902920.tif 000003
【図２Ａ】
0003902920.tif 000004
【図２Ｂ】
0003902920.tif 000005
【図２Ｃ】
0003902920.tif 000006
【図３Ａ】
0003902920.tif 000007
【図３Ｂ】
0003902920.tif 000008
【図４Ａ】
0003902920.tif 000009
【図４Ｂ】
0003902920.tif 000010
【図５】
0003902920.tif 000011